(57)【要約】【課題】平面上における全方向の送風方向だけでなく、上下方向にも可変な、厚みを持たせた風向を提供できる新規な床下換気システム用攪拌送風機を提供する。【解決手段】モータ８の回転軸の一端８ａに送風ファン９を装着すると共に、上記送風ファン９の外側には、吹出口を設けたファンケーシング１０を上記回転軸の一端８ａに回動自在に遊嵌させ、上記回転軸の他端８ｂには上記ファンケーシング１０と作動結合させて比較的低速で回転させる減速機構３０を設ける。上記ファンケーシング１０の吹出口には、移動可能な複数の羽根を備えたフラップ装置１８を設け、更に上記ファンケーシング１０の回転に連動して上記フラップ装置１８が枢動するようにした床下換気システム用攪拌送風機である。【選択図】　図１
2004144006.tif 000002
【特許請求の範囲】
【請求項１】
モータ８の回転軸の一端８ａに送風ファン９を装着すると共に、上記送風ファン９の外側には、吹き出し口を設けたファンケーシング１０を上記回転軸の一端８ａに回動自在に遊嵌させ、
上記回転軸の他端８ｂには上記ファンケーシング１０と作動結合させて比較的低速で回転させる減速機構３０を設け、
上記ファンケーシング１０の吹出口には、移動可能な複数の羽根を備えたフラップ装置１８を設け、更に
上記ファンケーシング１０の回転に連動して上記フラップ装置１８が枢動するようにした床下換気システム用攪拌送風機。
【請求項２】
ファンケーシング１０の上端には、ほぼ多角形環状の案内溝１３ａを下向きに設けた回動用ギア受け板１３を配置し、上記フラップ装置１８は上記複数の羽根と結合されたフラップ可変アーム１８ａを設け、上記フラップ可変アーム１８ａの突出端を上記案内溝１３ａ内に摺動自在に位置させ、
上記モータ８が駆動されると、駆動モータの回転軸の上記一端に取り付けた送風ファン９が回転すると共に、上記モータの回転軸の他端に取り付けた減速機構３０を介して上記ファンケーシング１０が回動し、上記ファンケーシング１０の回転に伴ってフラップ装置１８の上記フラップ可変アーム１８ａが上記多角形の案内溝１３ａ内を摺動してフラップ１８が内外に枢動し、上記吹出口１０ａからの風向を可変とさせてなる、請求項１に記載の床下換気システム用攪拌送風機。
【請求項３】
上記ファンケース１０の上端には回動用ギア１２を取り付けた上蓋１６が結合され、上記回動用ギア１２と上記減速機構３０とが作動結合して上記ファンケーシング１０を減速回転させるようにしてなる請求項２に記載の床下換気システム用攪拌送風機。
【発明の詳細な説明】
【０００１】
【発明の属する技術分野】
本発明は、床下や天井裏などの湿気の多い場所に配置する床下等の換気装置に関し、より具体的には、床下などに配置して、例えば家屋南側の乾燥空気を取り入れて家屋北側などに排出するようにした換気システムに用いて床下等の空気を攪拌しながら外部に排出するようにした、空気攪拌型の送風機に関するものである。
本発明は、更に、上記の空気攪拌型の送風機において、送風機のファンケーシング自体を回転させて送風路を全方位型とすると共に、ファンケーシングの回動に伴って、ファンケーシングに取り付けたフラップを上下に枢動させることで円周方向及び上下方向に風向を変えながら送風作用を行わしめるようにした空気攪拌型の送風機に関するものである。
【０００２】
【従来の技術】
従来の床下或いは天井裏などの換気装置は、家屋の、例えば南側と北側の枠体の所定場所に複数の通気口を設け、この通気口（多くの場合、北側の通気口）に換気装置を設置し、この換気装置の運転により床下等の空気を強制的に屋外に排出することで、南側の乾燥空気を強制通気式にて床下内に取り入れると共に、この乾燥空気を床下内を移動させて乾燥に寄与せしめ、北側の排気口より湿った空気を強制的に屋外に排出し、この動作を繰り返して行うものであった。
【０００３】
上記のシステムは、一般に自然通風式と呼ばれるものであって、南側に位置した通気口と北側に位置した通気口とを直線的に結んだ線（空気の移動路）に沿って空気は集まり且つ移動することになり、そこから離れたところでは空気は効率的には移動せず、従って、上記空気の移動路から離れた部分、例えば床下の隅部等では空気が停滞したままとなって、換気の所期目的が達成されず、その部分での土台の腐食進行は依然として避けることが出来ない状態ともなっていた。
【０００４】
上記の欠陥を払拭するために種々の提案や考案がなされている。例えば、床下内の所定位置に送風口を設けると共に、送風機を１台又は複数台配置し、その周囲の所定位置に等間隔で送風ガイドを設け床下内の全域にまで送風し得るようにした提案もなされている。（例えば実用新案登録第２５５０２２５号公報など。）
【０００５】
しかし送風機自体が吸気孔と排気孔とを有していて、それが固定されている以上、排気され空気はその位置が一定であり、その排気孔が複数個設けられていても、床下などの空間内の通気路を形成するのは限られた部分のみであり、通気路から外れた部分には依然として空気の淀みが見られるものであった。また、通気路を複数個形成することは、送風機のカバーの排気孔を複数個形成することであり、これは通気路を分割することとなり、その結果一つの通気路における風量が分割されてしまい、送風の到達距離が短くなり、且つ風量が減少されて、充分な効果が得られない欠点があった。
【０００６】
上記欠陥を補うものとして、本願出願人の関連会社により提案された構成として特開２００１−２９５７９６号に記載のものがある。　この構成は、送風機の周囲全方位に亘って通気路とすることのできる攪拌型の新規な送風機である。より具体的には、板状の上部シャーシと、板状の下部シャーシとを複数の結合棒で間隔を置いて対峙させて空域を形成し、この空域にモータにより駆動されるファンを配設し、上記下部シャーシの外面には上記モータの回転軸と係合させたギヤ手段を設け、上記モータが駆動すると、上記ギヤ手段を介して駆動ギアを回転させ、この駆動ギアに結合した上記ファンカバー（ファンケーシング）が上記上部シャーシと上記下部シャーシの間の上記空域内を回転可能としたものである。
【０００７】
上記の全方位型の換気システム用送風機においては、ファンケーシングが単独で回転又は、所定角度だけ往復枢動することにより、ファンケーシングの送風口としての開口部の位置が回転（枢動）して、乾燥した空気の排出位置を変化させることで床下内の空気を攪拌することができるという大きな利点を有するものである。
【０００８】
しかしながら、この構成について継続的に鋭意実験を重ねた結果、送風の方向が全方向ではあるものの、その範囲が平面的なものに止まるものであって、立体的な変化をもたらすものとはなり得ず、設置位置の上下方向に変動を加えた送風方向とすることは出来なかった。即ち、送風方向の範囲が、いわば厚みの小さいディスク型の送風範囲に止まっていて、送風範囲の厚み（高さ）を大きくすることが制限されていたために、依然として限られた送風範囲となっていた。
【０００９】
【発明が解決しようとする課題】
本発明の目的は、平面上における全方向の送風方向だけでなく、上下方向にも可変な、厚みを持たせた風向を提供できる新規な床下換気システム用攪拌送風機を提供することである。
【００１０】
本発明の別の目的は、構造が比較的簡単で、且つ小型化に適した攪拌送風機を提供することである。
【００１１】
本発明の更に別の目的は、送風用モータの回転軸の一側に送風ファンとファンケーシングとを設け、上記回転軸の他側にフラップ駆動用減速歯車機構を設けることで、小型化に適した攪拌送風機を提供することである。
【００１２】
【課題を解決するための手段】
本発明において、請求項１に記載の構成は、モータ８の回転軸の一端８ａに送風ファン９を装着すると共に、上記送風ファン９の外側には、吹出口を設けたファンケーシング１０を上記回転軸の一端８ａに回動自在に遊嵌させ、
上記回転軸の他端８ｂには上記ファンケーシング１０と作動結合させて比較的低速で回転させる減速機構３０を設け、
上記ファンケーシング１０の吹出口には、移動可能な複数の羽根を備えたフラップ装置１８を設け、更に
上記ファンケーシング１０の回転に連動して上記フラップ装置１８が枢動するようにした床下換気システム用攪拌送風機である。
【００１３】
更に、請求項２に記載の本発明は、ファンケーシング１０の上端には、ほぼ多角形環状の案内溝１３ａを下向きに設けた回動用ギア受け板１３を配置し、上記フラップ装置１８は上記複数の羽根と結合されたフラップ可変アーム１８ａを設け、上記フラップ可変アーム１８ａの突出端を上記案内溝１３ａ内に摺動自在に位置させ、
上記モータ８が駆動されると、駆動モータの回転軸の上記一端に取り付けた送風ファン９が回転すると共に、上記モータの回転軸の他端に取り付けた減速機構３０を介して上記ファンケーシング１０が回動し、上記ファンケーシング１０の回転に伴ってフラップ装置１８の上記フラップ可変アーム１８ａが上記多角形の案内溝１３ａ内を摺動してフラップ１８が内外に枢動し、上記吹出口１０ａからの風向を可変とさせてなる、請求項１に記載の床下換気システム用攪拌送風機である。
【００１４】
更に、請求項３に記載の本発明は、上記ファンケース１０の上端には回動用ギア１２を取り付けた上蓋１６が結合され、上記回動用ギア１２と上記減速機構３０とが作動結合して上記ファンケーシング１０を減速回転させるようにしてなる請求項２に記載の床下換気システム用攪拌送風機である。
【００１５】
【発明の実施の形態】
先ず、図１、図２及び図３において、本発明の床下換気システム用攪拌送風機は、モータ８と、モータ８の回転軸に取り付けられてモータ８の駆動により回転する送風ファン９と、送風ファン９の外側に設けてモータの回転軸に結合されてモータの駆動によって回転するファンケーシング１０を備えている。即ち、図１に示すように、モータ８の駆動軸の一端（上端）８ａには減速歯車機構３０が係合されており、他方、駆動軸８の他端（下端）８ｂには送風ファン９が取り付いている。また、送風ファン９の外側には、ファンケーシング１０が上記駆動軸の下端８ｂに遊嵌されていて、上記減速歯車機構３０によって回動自在となるように構成されている。
【００１６】
上記減速歯車機構３０は、モータ８の回転軸の一端８ａに係合され、ギアケース３内に配置された駆動ギア７が設けてあり、更に、上記駆動ギア７に係合された駆動ギア４，５，６が互いに作動結合状態に設けられている。即ち、ギアケース３の内側に駆動ギア５ａ，保護装置付き駆動ギア６，別の駆動ギア５ｂ，それに係合した更に別の駆動ギア４が図示のように配置されている。そして、これらの減速歯車機構３０を上ケース１で覆うとともに、駆動ギア４には回動用ギア１２が上記上ケース１の下部に配置されている。尚、上ケース１の上部には図示のように前記のギアケース３が配置されている。
【００１７】
上ケース１には、ファンケーシング１０の上下移動を規制する上下規制用ローラ１４と、同じく外周方向の移動を規制する外周規制ロータ１５を介して回転用ギヤ受け板１３が固定されている。また、回動用ギア１２に設けたネジ孔を利用してファンケーシングの上蓋１６を固定し、このファンケーシング上蓋１６の下部には前記ファンケーシング１０をネジ止め等により固定している。かくて、ファンケーシング１０は、モータ８の駆動によって減速歯車機構３０と回動用ギア１２を介して上蓋１６と一体になって回動する。
【００１８】
ファンケーシング１０の内側には、図１に示すように、送風用モータ８と、このモータ８の回転軸８ｂに取り付けられた送風ファン９が設けられており、その外側には前記の通り減速歯車機構３０と、回転用ギア１２及び回転用ギア受け板１３を介して比較的低速にて回動するファンケーシング１０が設けられている。尚、ファンケーシング１０はモータ８の下側回転軸８ｂに遊嵌されており、ファンケーシングの回転駆動はモータの上側回転軸８ａと、それに係合された減速歯車機構３０と回転用ギア１２とで低速回転される。
【００１９】
ファンケーシング１０の外側には、それを囲繞するようにルーバー、即ち送風圧縮用部材２０が設けられており、これを介して下ケース２を上ケース１に固着するとともに、下ケース２の下部には脚１１を取り付けて据え置き可能な状態としている。
【００２０】
前記の通り、送風用モータ８の回転軸の一端８ａに取り付けた駆動ギア７と、ファンケーシング１０の上蓋１６側に設けた回動用ギア１２，そして、この回転用ギア１２と駆動用ギア７との間に介装させた減速歯車機構３０によって、ファンケーシング１０が所望の低速回転にて回転される。
【００２１】
即ち、図２及び図３に示すように、回動用ギヤ受け板１３の外側周辺にはフラップ装置１８駆動用の案内溝１３ａが形成されており、この案内溝１３ａにフラップ装置１８の可変用アーム１８ａが摺動可能に配置されている。この構成により、送風用モータ８の回転軸８ａに係合させた駆動ギア７と、この駆動ギア７とファンケーシング１０上端に設けた回動ギア１２との間に設けた前記減速歯車機構３０を介して、前記ファンケーシング１０が所望のスピードで比較的ゆっくり回動し、この回動に伴って、上記フラップ装置１８の可変用アーム１８ａが回転用ギア受け板１３の下面に形成したカム形状の溝（図示例では６角形状の構成）であるフラップ駆動用案内溝１３ａ（図２参照）に沿って摺動する。
【００２２】
ファンケーシング１０が上記回転用ギア受け板１３に対して回動すると、フラップ装置１８のフラップ可変アーム１８ａが回転用ギア受け板１３の案内溝１３ａに沿って摺動する。この摺動によって、アーム１８ａの軸は駆動ギア７（及びモータ８の回転軸８ａ）に対して接近および離隔しながら円周運動を繰り返す。かくて、フラップ装置１８の複数の羽根は、フラップ装置取り付け枠体１９に設けた支点部１８ｂを支点として上下方向に枢動する。
【００２３】
フラップ装置１８の枢動は次のようなものである。即ち、図４〜図６に示すように、フラップ装置のフラップ可変アーム１８ａが回転用ギア受け板１３の案内溝を摺動することでフラップ装置１８の前記アーム１８ａが支点１８ｂを中心にして枢動する。図４では、回動用ギア受け板１３の案内溝１３ａの中央位置に可変アーム１８ａが位置し、フラップ装置１８は図示の通り垂直位置となり、図５の位置では外側に傾斜し、図６の位置では内側に傾斜した位置となる。かくて、ファンケーシング１０の回転に伴って、それに連動してフラップが案内溝１３ａを摺動しながら支点部１８ｂにて枢動することになる。かくて、この動作によって全周方向の送風を可能にしながら、更に、同時に上下方向の送風路の形成も達成できることになる。従って、立体的な全方向送風路が形成される。尚、図２の矢印は送風方向を指し、図３の矢印はフラップ装置１８のフラップ可変用アーム１８ａの移動（枢動）方向を指す。
【００２４】
以上の構成により、モータ８が駆動されるとその回転軸が回転することで、送風ファン９が回転してファンケーシング１０内の空気を強制的に圧送し、ファンケーシング１０の吹き出し口１０ａに取り付けたフラップ装置１８へと送る。このとき、ファンケーシング１０は、上下規制用ローラ１４と外周規制用ローラ１５の作用を受けて、前記減速歯車機構３０（ギア４，５，６，７の集合体）を介して比較的ゆっくりと回転する。このファンケーシング１０の減速回転により、ファンケーシング１０の吹出口１０ａに取り付けられたフラップ１８は、カム状の案内溝１３ａをフラップ可変用アーム１８ａが摺動することで支点部１８ｂを支点にして枢動する。かくて、送風方向が上下に変動しながら回転して全周方向の送風路が形成される。
【００２５】
本発明による攪拌型・全方位送風機を必要に応じて複数個配置し、それぞれの回転のタイミングをずらして同一の床下などに設置することも可能である。但し、このような複数の送風機を採用する場合には、回転による送風の方向が送風機毎に互いに相殺してしまわないように配慮して、適切な位置及び適切な回転タイミングとすることが必要である。
【００２６】
上記構成は、ファンケーシング１０を低速回転させるのに減速歯車機構３０といったギア手段を採用した構成を示したが、本発明はこの構成に限定されるものではなく、図示を省略するが、例えばベルトとそれと結合及び協働する回転体（ロール群）とを適宜使用して所望の減速手段を形成することも可能である。
【００２７】
【発明の効果】
本発明によれば、上記のような構成を有するので、送風方向が上下に変動しながら回転して全周方向の送風路が形成されるので極めて効率的な送風・換気効果を得ることが可能となると共に、湿気を帯びた土台や床及び地面に直接風が当たることで乾燥効果が得られる。尚、近年取り入れられている基礎に換気窓を開けない基礎パッキング工法の家において、基礎と土台の隙間に直接風を送ることでより換気能力を高められる。
また、上記本発明の全方位型送風機は、従来より広く採用されている強制排気型の送風機と関連させて併用すれば、更に一層の換気及び乾燥効果を期待することが出来る。
【００２８】
【図面の簡単な説明】
【図１】本発明による床下換気システム用攪拌送風機の内部全体構成を示す縦断面図である。
【図２】本発明による床下換気システム用攪拌送風機の主要部を示す横断面図である
【図３】本発明の床下換気システム用攪拌送風機に採用したファンケーシングと、それに取り付けたフラップ装置を示す斜視図。
【図４】フラップ装置の動作及び位置を示す説明図であり、フラップ装置がほぼ垂直状態を示す図である。
【図５】フラップ装置の動作及び位置を示す説明図でありフラップ装置が外側に傾斜した状態を示す図である。
【図６】フラップ装置の動作及び位置を示す説明図であり、フラップ装置が内側に傾斜した状態を示す図である。
【符号の説明】
７　駆動ギア
８　モータ
９　送風ファン
１０　ファンケーシング
１２　回転用ギア
１３　回転用ギア受け板
１３ａ　案内溝
４，５，６ギア
１８　　フラップ装置
１８ａ　フラップ可変アーム
３０　減速歯車機構
【図１】
2004144006.tif 000003
【図２】
2004144006.tif 000004
【図３】
2004144006.tif 000005
【図４】
2004144006.tif 000006
【図５】
2004144006.tif 000007
【図６】
2004144006.tif 000008